(57)【要約】      （修正有）【課題】基幹ネットワークに接続されている複数のアクセスネットワークが正常に機能しているか否かを監視することができるネットワーク監視システムを提供する。【解決手段】端末装置及びアクセスネットワーク間の相互接続を為すゲートウェイの各々に、ネットワーク監視要求信号に応じて、導通試験対象における相手先となるゲートウェイとの導通試験を行いその結果を示す導通試験結果信号を生成する導通試験手段を設け、導通試験対象とすべきゲートウェイ各々の組合せを変更しつつ各組合せ毎に得られた上記導通試験結果信号に基づいてアクセスネットワークに異常が生じているか否かを判定する。【選択図】図１
2008005480.tif 000002
【特許請求の範囲】
【請求項１】
基幹ネットワークに接続されている複数のアクセスネットワークと、前記アクセスネットワーク毎に設けられて端末装置と前記アクセスネットワークとの間の相互接続を行うゲートウェイと、を含むネットワーク監視システムであって、
互いに異なるアクセスネットワークに設けられているゲートウェイ同士を導通試験対象とするネットワーク監視要求信号を前記導通試験対象のゲートウェイ各々に送信するネットワーク監視制御手段を有し、
前記ゲートウェイ各々は、前記ネットワーク監視要求信号に応じて前記導通試験対象の相手先となるゲートウェイとの導通試験を行いその結果を示す導通試験結果信号を前記ネットワーク監視制御手段に送信する導通試験手段を備え、
前記ネットワーク監視制御手段は、前記導通試験対象とすべきゲートウェイ同士の組合せを変更しつつ各組合せ毎に前記導通試験を実施した際に得られた複数の導通試験結果信号に基づき前記アクセスネットワーク各々に異常が生じているか否かを判定することを特徴とするネットワーク監視システム。
【請求項２】
前記ネットワーク監視要求信号には、導通試験方法、前記ゲートウェイの内から導通試験対象とすべきゲートウェイの識別番号、及び前記導通試験を実施する時間間隔を夫々指定する指定情報が含まれており、
前記導通試験手段は、前記指定情報に従って前記導通試験を行うことを特徴とする請求項１記載のネットワーク監視システム。
【請求項３】
前記導通試験手段は、所定の第１試験信号を前記アクセスネットワーク及び前記基幹ネットワークを介して前記導通試験対象における相手先となるゲートウェイに送信する一方、前記アクセスネットワークを介して前記第１試験信号を受信した場合には所定の第２試験信号を前記アクセスネットワーク及び前記基幹ネットワークを介して前記相手先となるゲートウェイに送信する手段と、
前記第１試験信号を送信してから所定時間以内に前記第２試験信号を受信した場合には導通異常無し、前記第２試験信号を前記所定時間以内に且つ正しく受信することができなかった場合には導通異常有りを示す前記導通試験結果信号を生成する手段と、を含むことを特徴とする請求項１記載のネットワーク監視システム。
【請求項４】
前記導通試験手段は、所定の試験信号を前記アクセスネットワーク及び前記基幹ネットワークを介して前記導通試験対象における相手先となるゲートウェイに送信する一方、前記アクセスネットワークを介して前記試験信号を受信した場合にはこれをループバックして前記アクセスネットワーク及び前記基幹ネットワークを介して前記相手先のゲートウェイに返信する手段と、
前記試験信号を送信してから所定時間以内に前記試験信号が正しく返信されてきた場合には導通異常無し、それ以外の場合には導通異常有りを示す前記導通試験結果信号を生成する手段と、を含むことを特徴とする請求項１記載のネットワーク監視システム。
【請求項５】
前記アクセスネットワークの１には自動応答トランクが設けられている公衆回線網が結合されており、
前記導通試験手段は、所定の試験信号を前記自動応答トランクに送信してから所定時間以内に、前記自動応答トランクから発せられた所定のダイヤルトーン信号を前記公衆回線網及び前記アクセスネットワークを介して受信した場合には導通異常無し、それ以外の場合には導通異常有りを示す前記導通試験結果信号を生成する手段と、を含むことを特徴とする請求項１記載のネットワーク監視システム。
【請求項６】
前記試験信号は、ＤＴＭＦ（Dual Tone Multi Frequency）信号であることを特徴とする請求項３〜５のいずれか１に記載のネットワーク監視システム。
【請求項７】
前記ゲートウェイ各々は宅内設置型であり、
前記ネットワーク監視制御手段は、前記ゲートウェイ各々毎に電源遮断の頻度を測定し、この電源遮断頻度が所定頻度よりも小なるゲートウェイ各々を前記導通試験対象とすることを特徴とする請求項１記載のネットワーク監視システム。
【請求項８】
前記端末装置は電話機であり、
前記ネットワーク監視制御手段は、モニタ対象に指定された前記電話機が接続されている前記ゲートウェイに対して当該電話機の電話番号を示すモニタ要求信号を送信する手段を有し、
前記ゲートウェイは、前記通話モニタ要求信号に応じて前記端末装置及び前記電話機間の加入者回線から音声信号を引き込むべき設定を行う通話モニタ手段と、
通話モニタ用の電話機が接続されている通話モニタ用のゲートウェイに対して呼制御を実施すると共に前記通話モニタ手段において引き込まれた前記音声信号を前記通話モニタ用のゲートウェイに送信する試験用収容手段を有することを特徴とする請求項１記載のネットワーク監視システム。
【請求項９】
前記ネットワーク監視制御手段は、モニタ対象に指定された前記電話機による通話中に前記モニタ要求信号を前記ゲートウェイに送信し、
前記試験用収容手段は、モニタ対象に指定された前記電話機による通話途中の音声に対応した音声信号を前記通話モニタ用のゲートウェイに送信することを特徴とする請求項８記載のネットワーク監視システム。
【請求項１０】
前記ネットワーク監視制御手段は、モニタ対象に指定された前記電話機による通話開始前に前記モニタ要求信号を前記ゲートウェイに送信し、
前記試験用収容手段は、モニタ対象に指定された前記電話機による通話開始前から前記通話モニタ手段において引き込まれた音声信号を前記ゲートウェイに送信することを特徴とする請求項８記載のネットワーク監視システム。
【請求項１１】
前記試験用収容手段は、公衆回線網及びＶｏＩＰ網のいずれに接続されている前記ゲートウェイに対しても前記呼制御及び前記送信ができることを特徴とする請求項８記載のネットワーク監視システム。
【請求項１２】
前記ゲートウェイに制御信号を供給して前記ゲートウェイによる相互接続を制御する少なくとも１つのゲートウェイコントローラをさらに含み、
前記ネットワーク監視制御手段は、前記ネットワーク監視要求信号を前記ゲートウェイコントローラに送信し、
前記ゲートウェイコントローラは、前記ネットワーク監視制御手段から送信されたネットワーク監視要求信号を前記制御信号に変換して前記ゲートウェイに供給し、
前記ゲートウェイの各々は、前記制御信号に応じて前記導通試験を行うことを特徴とする請求項１記載のネットワーク監視システム。
【請求項１３】
前記ゲートウェイの各々は前記ゲートウェイコントローラ毎に群分けされて制御され、
前記ネットワーク監視制御手段は、前記ネットワーク監視要求信号が導通試験対象とするゲートウェイを制御するゲートウェイコントローラに前記ネットワーク監視要求信号を送信することを特徴とする請求項１２記載のネットワーク監視システム。
【発明の詳細な説明】
【技術分野】
【０００１】
本発明は、基幹ネットワークに結合されているアクセスネットワーク及びＶｏＩＰ（Voice over Internet Protocol）アクセスゲートウェイを介して通信を行う通信ネットワークの正常性を監視するネットワーク監視システムに関する。
【背景技術】
【０００２】
近年、ＶｏＩＰ技術を採用することによりＩＰネットワークを介して音声通話を可能とした通信サービスが実施されている。又、ＩＰネットワークと既存の電話網とを結合させることにより、ＩＰネットワークに設けられているＩＰ電話機と、既存の電話網に設けられている加入者電話機との間での音声通信を可能にした電話システムが提案された（例えば特許文献１の図１４参照）。
【０００３】
かかる電話システムにおいては、ＩＰネットワークと既存の電話網とを結合させるべく信号フォーマット変換を行うゲートウェイを電話機及びＩＰネットワーク間に設けると共に、各ゲートウェイ間の通信を制御するコールエージェントをＩＰネットワーク上に設置するようにしている。尚、実際には、各地域毎に設けられている高速インターネットアクセス網（以下、アクセスネットワークと称する）の各々に複数のゲートウェイ及びコールエージェントが接続されており、各アクセスネットワークが、基幹となるＩＰネットワークを介して相互に結合されている。
【０００４】
よって、互いに異なるアクセスネットワークに設けられているゲートウェイに接続されている電話機同士にて通話が為されると、その通信経路中には複数のアクセスネットワークが含まれる場合がある。従って、アクセスネットワークに通信障害が発生した場合には、その異常発生箇所（アクセスネットワーク）を特定することが困難であるという問題があった。
【特許文献１】特開２００３−３３３１０６号公報
【発明の開示】
【発明が解決しようとする課題】
【０００５】
本発明は、基幹ネットワークに接続されている複数のアクセスネットワークが正常に機能しているか否かを監視することができるネットワーク監視システムを提供することを目的とするものである。
【課題を解決するための手段】
【０００６】
本発明によるネットワーク監視システムは、基幹ネットワークに接続されている複数のアクセスネットワークと、前記アクセスネットワーク毎に設けられて端末装置と前記アクセスネットワークとの間の相互接続を行うゲートウェイと、を含むネットワーク監視システムであって、互いに異なるアクセスネットワークに設けられているゲートウェイ同士を導通試験対象とするネットワーク監視要求信号を前記導通試験対象のゲートウェイ各々に送信するネットワーク監視制御手段を有し、前記ゲートウェイ各々は、前記ネットワーク監視要求信号に応じて前記導通試験対象の相手先となるゲートウェイとの導通試験を行いその結果を示す導通試験結果信号を前記ネットワーク監視制御手段に送信する導通試験手段を備え、前記ネットワーク監視制御手段は、前記導通試験対象とすべきゲートウェイ同士の組合せを変更しつつ各組合せ毎に前記導通試験を実施した際に得られた複数の導通試験結果信号に基づき前記アクセスネットワーク各々に異常が生じているか否かを判定する。
【発明の効果】
【０００７】
本発明によれば、基幹ネットワークに接続されている複数のアクセスネットワーク各々に異常が生じているか否かを監視することが可能となる。
【発明を実施するための最良の形態】
【０００８】
端末装置及びアクセスネットワーク間の相互接続を為すゲートウェイ各々に、ネットワーク監視要求信号に応じて、導通試験対象における相手先となるゲートウェイとの導通試験を行いその結果を示す導通試験結果信号を生成する導通試験手段を設け、導通試験対象とすべきゲートウェイ各々の組合せを変更しつつ各組合せ毎に得られた上記導通試験結果信号に基づいてアクセスネットワークに異常が生じているか否かを判定する。
【０００９】
以下に、本発明の実施例について添付の図面を参照して詳細に説明する。
＜第１の実施例＞
図１は、第１の実施例を示し、ネットワーク監視システムの全体構成を示している。ここで、ＶｏＩＰ技術を採用して音声通信を行う際に基幹となる基幹ネットワーク１に結合されるアクセスネットワークとして、２系統分のアクセスネットワーク２のみが抜粋されて示されている。
【００１０】
基幹ネットワーク１には、ネットワーク障害の監視及び通話モニターを行うネットワーク監視制御装置１０が設けられている。ネットワーク監視制御装置１０は、本発明の構成要素であるネットワーク監視制御手段を実現する装置である。
【００１１】
ネットワーク監視制御装置１０は、ネットワーク監視要求信号を導通試験対象とすべきＡＧＷ４又はＧＷ５（後述する）に供給する。かかるネットワーク監視要求信号には、ネットワークの正常性を確認する為に実施すべき導通試験の方法、導通試験対象とすべきマスタ側及びスレーブ側各々のＡＧＷ４（又はＧＷ５）を夫々示す識別番号、導通試験を実施する時間間隔を夫々指定する指定情報が含まれている。尚、導通試験の方法としては、ＤＴＭＦ（Dual Tone Multi Frequency）送受信試験、ループバック試験、又はＤＴＭＦ受信試験等がある。更に、ネットワーク監視制御装置１０は、上記の如き導通試験対象となるＡＧＷ４又はＧＷ５から供給された導通試験結果信号に基づいて異常箇所の判定を行う。又、ネットワーク監視制御装置１０は、任意の通話回線での通話音声をモニターすべき通話モニター要求信号を通話モニターの対象となる電話機（後述する）が接続されているＡＧＷ４又はＧＷ５に供給する。かかる通話モニター要求信号には、通話モニターの対象となる電話回線番号を示す情報が含まれている。
【００１２】
尚、かかるネットワーク監視制御装置１０の詳細な動作については、後述する。
【００１３】
アクセスネットワーク２には、コールエージェント３（以下、ＣＡ３と称する）と共に、ＶｏＩＰアクセスゲートウェイ４（以下、ＡＧＷ４と称する）及びＶｏＩＰゲートウェイ５（以下、ＧＷ５と称する）が設けられている。
【００１４】
ＣＡ３は、このＣＡ３が管理対象としている複数のＡＧＷ４（又はＧＷ５）の内から、発信側となるＡＧＷ４（又はＧＷ５）４、及び着信側となるＡＧＷ４（又はＧＷ５）間での通信を確立させるべき呼制御を行う。
【００１５】
ＡＧＷ４は、既存の加入者電話交換機と同様に局舎（図示せぬ）内に設置されている。ＡＧＷ４には、この局舎及び各加入者宅（図示せぬ）間に配線された既存の加入者回線４０を介して、各加入者宅に設置されている加入者電話機４１が接続されている。ＡＧＷ４は、加入者電話機４１から供給されたアナログ音声信号をＶｏＩＰパケット化してアクセスネットワーク２に送出すると共に、アクセスネットワーク２から供給されたＶｏＩＰパケットをアナログ音声信号に変換して加入者電話機４１に供給する。すなわち、ＡＧＷ４は、端末装置としての加入者電話機４１とアクセスネットワーク２との相互接続を行うのである。
【００１６】
ＧＷ５は、電話機５０と共に各加入者宅内に設置されており、このＧＷ５及び局舎間に敷設された光回線、ＣＡＴＶ（Community Antenna TeleVision）等のアクセスラインを介してアクセスネットワーク２に結合されている。ＧＷ５は、電話機５０から供給されたアナログ音声信号をＶｏＩＰパケット化してアクセスネットワーク２に送出すると共に、アクセスネットワーク２から供給されたＶｏＩＰパケットをアナログ音声信号に変換して電話機５０に供給する。すなわち、ＧＷ５は、端末装置としての電話機５０とアクセスネットワーク２との相互接続を行うのである。
【００１７】
図２は、上記ＡＧＷ４の内部構成を示す図である。
【００１８】
図２に示されるように、ＡＧＷ４は、一般加入者用収容回路Ｇ１1〜Ｇ１n、試験用収容回路ＴＧ、疑似試験回路ＴＰ、及び通話モニタ回路ＴＭを備える。
【００１９】
一般加入者用収容回路Ｇ１1〜Ｇ１nの各々は、ｎ個の加入者回線４０各々に対応付けして設けられており、加入者回線４０を介して供給されたアナログ音声信号をＶｏＩＰパケット化してアクセスネットワーク２上に送出する。又、一般加入者用収容回路Ｇ１1〜Ｇ１nの各々は、アクセスネットワーク２を介して供給されたＶｏＩＰパケットをアナログの音声信号に変換し、これを加入者回線４０に送出する。更に、一般加入者用収容回路Ｇ１1〜Ｇ１nの各々は、通話モニタ回路ＴＭから供給された加入者線引き込み要求に応じて、加入者線４０上の音声信号を試験用収容回路ＴＧに供給する。
【００２０】
疑似試験回路ＴＰは、アクセスネットワーク２を介して供給されたネットワーク監視要求信号にて示される指定情報（導通試験方法、導通試験対象となるマスター側及びスレーブ側各々のゲートウェイを示す識別番号、導通試験を実行すべき時間間隔）に従って、試験用収容回路ＴＧを以下の如く制御する。すなわち、疑似試験回路ＴＰは、マスター側に指定されている場合には呼制御信号を導通試験対象となるスレーブ側のＡＧＷ４（又はＧＷ５）に送信させるべき指令信号を試験用収容回路ＴＧに供給する。一方、スレーブ側に指定されている場合には疑似試験回路ＴＰは、試験用収容回路ＴＧを呼制御信号の受信待ち状態に設定すると共に、かかる呼制御信号を受信した場合にはこれをそのままマスター側のＡＧＷ４（又はＧＷ５）に送信させる、いわゆる着信応答を実施させるべく指令を試験用収容回路ＴＧに供給する。又、疑似試験回路ＴＰは、所定の第１パターンを有する上り試験信号を導通試験対象となるスレーブ側のＡＧＷ４（又はＧＷ５）に送信させるべき指令を試験用収容回路ＴＧに供給する。又、疑似試験回路ＴＰは、所定の第２パターンを有する下り試験信号を導通試験対象となるマスター側のＡＧＷ４（又はＧＷ５）に送信させるべき指令を試験用収容回路ＴＧに供給する。更に、疑似試験回路ＴＰは、試験用収容回路ＴＧから上記の如き下り試験信号が供給された場合には、かかる下り試験信号の受信状態に基づき導通試験の結果を判定し、これをアクセスネットワーク２及び基幹ネットワーク１を介してネットワーク監視制御装置１０に送信する。
【００２１】
試験用収容回路ＴＧは、疑似試験回路ＴＰ又は通話モニタ回路ＴＭからの指令に応じて呼制御信号の発信、又は呼制御信号の着信応答を行う。又、試験用収容回路ＴＧは、疑似試験回路ＴＰから供給された上り試験信号をアクセスネットワーク２及び／又は基幹ネットワーク１を介して導通試験対象となるスレーブ側のＡＧＷ４（又はＧＷ５）に送信する。又、試験用収容回路ＴＧは、疑似試験回路ＴＰから供給された下り試験信号をアクセスネットワーク２及び／又は基幹ネットワーク１を介して導通試験対象となるマスター側のＡＧＷ４（又はＧＷ５）に送信する。更に、試験用収容回路ＴＧは、一般加入者用収容回路Ｇ１から供給された通話中の音声信号をＶｏＩＰパケット化して後述する通話モニタ用のＧＷ５Mに送信する。
【００２２】
通話モニタ回路ＴＭは、一般加入者用収容回路Ｇ１1〜Ｇ１n各々の内から、アクセスネットワーク２を介して供給された通話モニタ要求信号によって示される電話回線番号に対応した一般加入者用収容回路Ｇを選択し、この一般加入者用収容回路Ｇに対して加入者線引き込み要求を行う。
【００２３】
図３は、上記ＧＷ５の内部構成を示す図である。図３に示す如く、ＧＷ５は、一般加入者用収容回路Ｇ２1〜Ｇ２nと共に、図２に示されるＡＧＷ４と同様に試験用収容回路ＴＧ、通話モニタ回路ＴＭ、及び疑似試験回路ＴＰを備える。尚、一般加入者用収容回路Ｇ２1〜Ｇ２nの各々は、加入者宅内に設置されているｎ個の電話機５０各々に対応付けして設けられており、電話機５０から供給された音声信号をＶｏＩＰパケット化してアクセスネットワーク２上に送出する。更に、一般加入者用収容回路Ｇ２1〜Ｇ２nの各々は、アクセスネットワーク２を介して供給されたＶｏＩＰパケットを音声信号に変換し、これを電話機５０に送出する。
【００２４】
次に、本発明によるネットワーク監視動作について、図４に示す如きネットワーク構成を一例にとって説明する。尚、図４に示されるネットワーク構成においては、６つのアクセスネットワーク２1〜２6が基幹ネットワーク１に結合されている。この際、アクセスネットワーク２5に設けられているＣＡ３1は、ＡＧＷ４1、ＡＧＷ４2及びＧＷ５を管理対象としている。又、アクセスネットワーク２6に設けられているＣＡ３2は、ＡＧＷ４3を管理対象としている。又、アクセスネットワーク２4には、公衆電話網及びＶｏＩＰ網間を結合するゲートウェイ６（以下、ＰＴＧＷ６と称する）を介して公衆電話網としてのＰＳＴＮ(Public Switched Telephone Networks)７が結合されている。ＰＳＴＮ７には、着信に応じて自動的にこれに応答すると共にダイヤルトーンを発する自動応答トランク８（以下、ＡＡＴ８と称する）が設けられている。
【００２５】
図５は、ネットワーク監視制御装置１０によって為されるネットワーク監視制御フローを示す図である。図５において、先ず、ネットワーク監視制御装置１０は、ＡＧＷ４1をマスタ側、ＡＧＷ４2をスレーブ側として両者間において導通試験を実施させるべきネットワーク監視要求信号を、ＡＧＷ４1及びＡＧＷ４2に夫々供給する（ステップＳ１１）。ステップＳ１１の実行により、先ず、図６の太破線にて示されるが如き経路、つまり、アクセスネットワーク２1、基幹ネットワーク１、アクセスネットワーク２5、ＣＡ３1、アクセスネットワーク２5、基幹ネットワーク１、及びアクセスネットワーク２2なる経路を介してＡＧＷ４1及びＡＧＷ４2間において呼制御が為される。そして、図６の太実線にて示されるが如き経路、つまり、アクセスネットワーク２1、基幹ネットワーク１、及びアクセスネットワーク２2なる経路を介してＡＧＷ４1及びＡＧＷ４2間において導通試験が為される。この際、ネットワーク監視要求信号にて示される導通試験方法が例えばＤＴＭＦ送受信試験であり、導通試験対象のマスタ側がＡＧＷ４1、スレーブ側がＡＧＷ４2である場合には、図７に示される通信フローに従って導通試験が為される。
【００２６】
図７において、先ず、ネットワーク監視制御装置１０から供給されたネットワーク監視要求信号に応じて、スレーブ側のＡＧＷ４2の試験用収容回路ＴＧ及び疑似試験回路ＴＰ（以下、ＡＧＷ４2の導通試験装置と称する）は、マスタ側のＡＧＷ４1からの呼制御信号の受信待ち状態に設定される（ステップＳ９０）。又、ネットワーク監視制御装置１０から供給されたネットワーク監視要求信号に応じて、マスター側のＡＧＷ４1の試験用収容回路ＴＧ及び疑似試験回路ＴＰ（以下、ＡＧＷ４1の導通試験装置と称する）は、図６の太破線にて示されるが如き経路を介して呼制御信号をＡＧＷ４2に送信する（ステップＳ９１）。すなわち、ステップＳ９１の実行により、ＡＧＷ４1から発信された呼制御信号は、図６の太破線にて示す如きアクセスネットワーク２1、基幹ネットワーク１、アクセスネットワーク２5、ＣＡ３1、アクセスネットワーク２5、基幹ネットワーク１、及びアクセスネットワーク２2なる経路を介してＡＧＷ４2に送信される。この際、かかる呼制御信号に基づき、ＣＡ３1は、図６の太実線にて示されるが如き経路にてＡＧＷ４1及びＡＧＷ４2間の通信を確立させる。
【００２７】
尚、上記ステップＳ９１の実行後、ＡＧＷ４1の導通試験装置は、内蔵タイマ（図示せぬ）による時間計時を０から開始させ（ステップＳ９２）、この内蔵タイマによる計時時間ＴＡが所定時間Ｔ1よりも大であるか否かの判定を行う（ステップＳ９３）。かかるステップＳ９３において上記計時時間ＴＡが所定時間Ｔ1よりも大ではない、つまり、ステップＳ９１を実行してから所定時間Ｔ1を経過していないと判定された場合、ＡＧＷ４1の導通試験装置は、ＡＧＷ４2側から送信された呼制御信号を受信したか否かの判定を行う（ステップＳ９４）。かかるステップＳ９４において、受信していないと判定された場合、ＡＧＷ４1の導通試験装置は、ステップＳ９３の実行に戻って前述した如き動作を繰り返し実行する。
【００２８】
ここで、ＡＧＷ４2の導通試験装置は、ＡＧＷ４1から送信された上記呼制御信号を受信した場合にはこれをそのまま図６の太破線にて示されるが如きアクセスネットワーク２2、基幹ネットワーク１、アクセスネットワーク２5、ＣＡ３1、アクセスネットワーク２5、基幹ネットワーク１、及びアクセスネットワーク２1なる経路を介してＡＧＷ４1に返信する（ステップＳ９５）。ステップＳ９５の実行後、ＡＧＷ４2の導通試験装置は、内蔵タイマ（図示せぬ）による時間計時を０から開始させ（ステップＳ９６）、この内蔵タイマによる計時時間ＴＡが所定時間Ｔ2よりも大であるか否かの判定を行う（ステップＳ９７）。かかるステップＳ９７において上記計時時間ＴＡが所定時間Ｔ2よりも大ではない、つまり、ステップＳ９５を実行してから所定時間Ｔ2を経過していないと判定された場合、ＡＧＷ４2の導通試験装置は、ＡＧＷ４1側から送信された上り試験信号としてのＤＴＭＦ信号を受信したか否かの判定を行う（ステップＳ９８）。かかるステップＳ９８において上り試験信号を受信していないと判定された場合、ＡＧＷ４2の導通試験装置は、上記ステップＳ９７の実行に戻って前述した如き動作を繰り返し実行する。
【００２９】
この間、上記ステップＳ９４において、ＡＧＷ４2から送信された呼制御信号を受信したと判定された場合、ＡＧＷ４1の導通試験装置は、所定の第１パターンを有するＤＴＭＦ信号を上り試験信号として発生して、これをＡＧＷ４2に送信する（ステップＳ１０１）。ここで、図６の太実線にて示されるが如き経路に異常がなければ、かかる上り試験信号は、アクセスネットワーク２1、基幹ネットワーク１、及びアクセスネットワーク２2なる経路を介して、ＡＧＷ４2側に送信される。上記ステップＳ１０１の実行後、ＡＧＷ４1の導通試験装置は、内蔵タイマ（図示せぬ）による時間計時を０から開始させ（ステップＳ１０２）、この内蔵タイマによる計時時間ＴＡが所定時間ＴPRよりも大であるか否かの判定を行う（ステップＳ１０３）。かかるステップＳ１０３において上記計時時間ＴＡが所定時間ＴPRよりも大ではない、つまり、ステップＳ１０２を実行してから所定時間ＴPRを経過していないと判定された場合、ＡＧＷ４1の導通試験装置は、ＡＧＷ４2側から送信された下り試験信号としてのＤＴＭＦ信号を受信したか否かの判定を行う（ステップＳ１０４）。かかるステップＳ１０４において、受信していないと判定された場合、ＡＧＷ４1の導通試験装置は、ステップＳ１０３の実行に戻って前述した如き動作を繰り返し実行する。
【００３０】
この間、ステップＳ９８においてＡＧＷ４1側から送出されたマスタ側のＡＧＷ４1から送出された上り試験信号としてのＤＴＭＦ信号を受信したと判定された場合、ＡＧＷ４2の導通試験装置は、この受信したＤＴＭＦ信号が所定の第１パターンを有するか否かを判定する（ステップＳ１０６）。ステップＳ１０６の実行後、このステップＳ１０６において、受信したＤＴＭＦ信号が所定の第１パターンを有すると判定された場合に限り、ＡＧＷ４2の導通試験装置は、所定の第２パターンを有するＤＴＭＦ信号を下り試験信号として発生しこれをＡＧＷ４1に送信する（ステップＳ１０７）。
【００３１】
ここで、上記ステップＳ１０４において、スレーブ側のＡＧＷ４2から送信された下り試験信号としてのＤＴＭＦ信号を受信したと判定された場合、ＡＧＷ４1の導通試験装置は、この受信したＤＴＭＦ信号が所定の第２パターンを有するか否かを判定する（ステップＳ１０８）。ステップＳ１０８において、受信したＤＴＭＦ信号が所定の第２パターンを有すると判定された場合、ＡＧＷ４1の導通試験装置は、マスタ側のＡＧＷ４1及びスレーブ側のＡＧＷ４2間での通信経路に導通異常が生じていないことを示す導通試験結果信号をネットワーク監視制御装置１０に送信する（ステップＳ１０９）。つまり、所定時間ＴPR内において、ＡＧＷ４1から送信された上り試験信号（ＤＴＭＦ信号）がそのままの形態でＡＧＷ４2にて受信され、且つＡＧＷ４2から送信された下り試験信号（ＤＴＭＦ信号）がそのままの形態でＡＧＷ４1にて受信された場合には、図６の太実線及び太破線にて示す通信経路には導通異常が生じていないと判断して、その旨をネットワーク監視制御装置１０に報告するのである。
【００３２】
一方、かかるステップＳ１０８において、受信したＤＴＭＦ信号が所定の第２パターンとは異なるパターンを有すると判定された場合、又は上記ステップＳ１０３において内蔵タイマによる計時時間ＴＡが所定時間ＴPRよりも大であると判定された場合、ＡＧＷ４1の導通試験装置は、以下の如きステップＳ１１０を実行する。すなわち、ＡＧＷ４1の導通試験装置は、マスタ側のＡＧＷ４1及びスレーブ側のＡＧＷ４2間における下り回線に導通異常が生じていることを示す導通試験結果信号をネットワーク監視制御装置１０に送信する（ステップＳ１１０）。つまり、ＡＧＷ４1が上り試験信号（ＤＴＭＦ信号）をＡＧＷ４2に送信してから所定時間ＴPR経過してもＡＧＷ４2側から下り試験信号（ＤＴＭＦ信号）の返信が為されない場合、又はかかる下り試験信号（ＤＴＭＦ信号）の返信が為されたもののこれが所定の第２パターンとは異なる場合には、図６の太実線にて示す通信経路中の下り回線に導通異常が生じていると判断して、その旨をネットワーク監視制御装置１０に報告するのである。
【００３３】
又、上記ステップＳ９３において、上記計時時間ＴＡが所定時間Ｔ1よりも大である、つまりＡＧＷ４1の導通試験装置が呼制御信号をＡＧＷ４2に送信してから上記所定時間Ｔ1経過後においてもＡＧＷ４1側からの返信が為されない場合には以下の如きステップＳ９９を実行する。すなわち、この際、ＡＧＷ４1の導通試験装置は、図６の太破線にて示す如きアクセスネットワーク２1、基幹ネットワーク１、アクセスネットワーク２5、ＣＡ３1、アクセスネットワーク２5、基幹ネットワーク１、及びアクセスネットワーク２2なる呼制御回線に導通異常が生じていると判断して、その旨をネットワーク監視制御装置１０に報告する（ステップＳ９９）。
【００３４】
又、上記ステップＳ９７において、上記計時時間ＴＡが所定時間Ｔ2よりも大である、つまりＡＧＷ４2の導通試験装置が、ＡＧＷ４1側から送信されてきた呼制御信号をこのＡＧＷ４1に返信してから上記所定時間Ｔ2経過後においてもＡＧＷ４1側から上り試験信号（ＤＴＭＦ信号）が送信されてこない場合には以下の如きステップＳ１００を実行する。すなわち、この際、ＡＧＷ４2の導通試験装置は、マスタ側のＡＧＷ４1及びスレーブ側のＡＧＷ４2間における上り回線に導通異常が生じていることを示す導通試験結果信号をネットワーク監視制御装置１０に送信する（ステップＳ１００）。つまり、ＡＧＷ４2の導通試験装置は、図６の太実線にて示す如き、アクセスネットワーク２1、基幹ネットワーク１、及びアクセスネットワーク２2なる経路における上り回線に導通異常が生じていることを示す導通試験結果信号をネットワーク監視制御装置１０に送信するのである。
【００３５】
そして、上記ステップＳ９９、Ｓ１００、Ｓ１０９又はＳ１１０の実行後、マスタ側及びスレーブ側各々の導通試験装置は、上記ネットワーク監視要求信号によって示される時間間隔をおいて再び図７に示されるが如き一連の動作を実行する。この間、ネットワーク監視制御装置１０は、図５のステップＳ１２において、上記導通試験結果信号を受信したか否かを判定し、受信したと判定された場合にこの受信した導通試験結果信号を第１導通試験結果信号として取り込む（ステップＳ１３）。
【００３６】
次に、ネットワーク監視制御装置１０は、ＡＧＷ４1をマスタ側、ＡＧＷ４3をスレーブ側として両者間において導通試験を実施させるべきネットワーク監視要求信号を、ＡＧＷ４1及びＡＧＷ４3に夫々供給する（ステップＳ１４）。ステップＳ１４の実行により、図８の太破線にて示されるが如き経路、つまり、アクセスネットワーク２1、基幹ネットワーク１、アクセスネットワーク２5、ＣＡ３1、アクセスネットワーク２5、基幹ネットワーク１、アクセスネットワーク２6、ＣＡ３2、アクセスネットワーク２6、基幹ネットワーク１、及びアクセスネットワーク２3なる経路を介して、ＡＧＷ４1及びＡＧＷ４3間において呼制御が為される。そして、図６の太実線にて示されるが如き経路、つまり、アクセスネットワーク２1、基幹ネットワーク１、及びアクセスネットワーク２2なる経路を介してＡＧＷ４1及びＡＧＷ４2間において導通試験が為される。この際、ネットワーク監視要求信号にて示される導通試験方法が例えばＤＴＭＦ送受信試験であり、導通試験対象のマスタ側がＡＧＷ４1、スレーブ側がＡＧＷ４3である場合には、図７に示されるフローに従って導通試験が為される。
【００３７】
この間、ネットワーク監視制御装置１０は、図７に示されるステップＳ９９、Ｓ１００、Ｓ１０９又はＳ１１０の実行によってマスタ側のＡＧＷ４1及びスレーブ側のＡＧＷ４3から送信された導通試験結果信号を受信したか否かを判定し（ステップＳ１５）、受信したと判定された場合にこの受信した導通試験結果信号を第２導通試験結果信号として取り込む（ステップＳ１６）。
【００３８】
次に、ネットワーク監視制御装置１０は、ＡＧＷ４1をマスタ側、ＰＴＧＷ６をスレーブ側として導通試験を実施させるべきネットワーク監視要求信号を、ＡＧＷ４1及びＰＴＧＷ６に夫々供給する（ステップＳ１７）。ステップＳ１７の実行により、図９の太破線にて示されるが如き経路、つまり、アクセスネットワーク２1、基幹ネットワーク１、アクセスネットワーク２4、ＰＴＧＷ６、ＰＳＴＮ７なる経路を介して、ＡＧＷ４1及びＡＡＴ８間において呼制御が為される。そして、図９の太実線にて示されるが如き経路、つまり、ＰＳＴＮ７、ＰＴＧＷ６、アクセスネットワーク２4、基幹ネットワーク１、及びアクセスネットワーク２2なる経路を介してＡＧＷ４1及びＡＡＴ８間において導通試験が為される。この際、ネットワーク監視要求信号にて示される導通試験方法がＤＴＭＦ受信試験であり、導通試験対象のマスタ側がＡＧＷ４1、スレーブ側がＡＡＴ８及びＰＴＧＷ６である場合には、図１０に示される通信フローに従って導通試験が為される。
【００３９】
図１０において、ネットワーク監視制御装置１０から供給されたネットワーク監視要求信号に応じて、先ず、マスター側のＡＧＷ４1の導通試験装置は、図９の太破線にて示されるが如き経路を介して呼制御信号をＡＡＴ８に送信する（ステップＳ２０１）。ステップＳ２０１の実行により、ＡＧＷ４1から発信された呼制御信号は、アクセスネットワーク２1、基幹ネットワーク１、アクセスネットワーク２5、ＣＡ３1、アクセスネットワーク２5、基幹ネットワーク１、アクセスネットワーク２4、ＰＴＧＷ６及びＰＳＴＮ７なる経路を介してＡＡＴ８に送信される。上記ステップＳ２０１の実行後、ＡＧＷ４1の導通試験装置は、内蔵タイマ（図示せぬ）による時間計時を０から開始させ（ステップＳ２０２）、この内蔵タイマによる計時時間ＴＡが所定時間Ｔ1よりも大であるか否かの判定を行う（ステップＳ２０３）。かかるステップＳ２０３において上記計時時間ＴＡが所定時間Ｔ1よりも大ではない、つまり、ステップＳ２０２を実行してから所定時間Ｔ1を経過していないと判定された場合、ＡＧＷ４1の導通試験装置は、呼制御信号を受信したか否かの判定を行う（ステップＳ２０４）。かかるステップＳ２０４において、受信していないと判定された場合、ＡＧＷ４1の導通試験装置は、ステップＳ２０３の実行に戻って前述した如き動作を繰り返し実行する。
【００４０】
この間、ＡＡＴ８は、ＡＧＷ４1側から発せされた呼制御信号を受信した場合にはこれをそのまま図９の太破線にて示されるが如き経路を介してＡＧＷ４1に返信する（ステップＳ２０５）。この際、かかる呼制御信号に基づき、ＣＡ３1は、図９の太実線にて示されるが如き経路にてＡＧＷ４1及びＡＡＴ間の通信を確立させる。そこで、上記ステップＳ２０５の実行後、ＡＡＴ８は、下り試験信号としての所定の第１パターンを有するダイアルトーン信号（以下、ＤＴ信号と称する）を発生し、これを図９の太実線にて示されるが如き経路を介してＡＧＷ４1に返信する（ステップＳ２０６）。
【００４１】
ここで、ＡＧＷ４1の導通試験装置は、上記ステップＳ２０３において上記計時時間ＴＡが所定時間Ｔ1よりも大である、つまりＡＧＷ４1の導通試験装置が呼制御信号を送信してから上記所定時間Ｔ1経過後においてもＡＡＴ８側からの返信が為されない場合には以下の如きステップＳ２０７を実行する。すなわち、この際、ＡＧＷ４1の導通試験装置は、図９の太破線にて示す如き呼制御回線に導通異常が生じていると判断して、その旨をネットワーク監視制御装置１０に報告する（ステップＳ２０７）。又、この間、上記ステップＳ２０４において呼制御信号を受信したと判定された場合、ＡＧＷ４1の導通試験装置は、内蔵タイマ（図示せぬ）による時間計時を０から開始させ（ステップＳ２０８）、この内蔵タイマによる計時時間ＴＡが所定時間ＴPRよりも大であるか否かの判定を行う（ステップＳ２０９）。かかるステップＳ２０９において上記計時時間ＴＡが所定時間ＴPRよりも大ではない、つまり、ステップＳ２０８を実行してから所定時間ＴPRを経過していないと判定された場合、ＡＧＷ４1の導通試験装置は、ＡＡＴ８側から送信された下り試験信号としてのＤＴ信号を受信したか否かの判定を行う（ステップＳ２１０）。かかるステップＳ２１０において、受信していないと判定された場合、ＡＧＷ４1の導通試験装置は、ステップＳ２０９の実行に戻って前述した如き動作を繰り返し実行する。一方、上記Ｓ２１０においてＡＡＴ８から送信された下り試験信号としてのＤＴ信号を受信したと判定された場合、ＡＧＷ４1の導通試験装置は、この受信したＤＴ信号が所定の第１パターンを有するか否かを判定する（ステップＳ２１１）。ステップＳ２１１において、受信したＤＴ信号が所定の第１パターンを有すると判定された場合、ＡＧＷ４1の導通試験装置は、ＡＧＷ４1及びＡＡＴ８間の通信経路に導通異常が生じていないことを示す導通試験結果信号をネットワーク監視制御装置１０に送信する（ステップＳ２１２）。つまり、所定時間ＴPR内において、ＡＧＷ４1が送信した呼制御信号に応答してＡＡＴ８側からＤＴ信号による返信が為された場合には、図９の太実線及び太破線にて示す通信経路には共に導通異常が生じていないと判断して、その旨をネットワーク監視制御装置１０に報告するのである。
【００４２】
一方、かかるステップＳ２１１において、受信したＤＴ信号が所定の第１パターンとは異なるパターンを有すると判定された場合、又は上記ステップＳ２０９において内蔵タイマによる計時時間ＴＡが所定時間ＴPRよりも大であると判定された場合、ＡＧＷ４1の導通試験装置は、ＡＧＷ４1及びＡＡＴ８間の通信経路に導通異常が生じていることを示す導通試験結果信号をネットワーク監視制御装置１０に送信する（ステップＳ２１３）。つまり、ＡＧＷ４1が呼制御信号を送信してから所定時間ＴPR経過してもＡＡＴ８側からのＤＴ信号による返信が無い場合、あるいはＡＡＴ８から返信されたＤＴ信号が所定の第１パターンと一致しない場合には、図９の太実線及び太破線にて示す通信経路中に導通異常が生じていると判断して、その旨をネットワーク監視制御装置１０に報告するのである。
【００４３】
そして、上記ステップＳ２０７、Ｓ２１２又はＳ２１３の実行後、マスタ側のＡＧＷ４1、及びスレーブ側のＡＡＴ８及びＰＴＧＷ６は、上記ネットワーク監視要求信号によって示される時間間隔をおいて繰り返し上記ステップＳ２０１〜Ｓ２１３なる一連の動作を実行する。
【００４４】
この間、ネットワーク監視制御装置１０は、図５のステップＳ１８において、上記記導通試験結果信号を受信したか否かを判定し、受信したと判定された場合にこの受信した導通試験結果信号を第３導通試験結果信号として取り込む（ステップＳ１９）。そして、ネットワーク監視制御装置１０は、上記ステップＳ１３、Ｓ１６及びＳ１９にて取り込んだ第１〜第３導通試験結果信号に基づいて、図４の如き通信ネットワーク内での障害箇所を判定し、その判定結果を異常箇所判定レジスタ（図示せぬ）に書き込む（ステップＳ２０）。例えば、第２導通試験結果信号が、図８の太実線及び太破線にて示される通信経路には異常が無いことを示し、且つ、第３導通試験結果信号が、図９の太破線又は太実線にて示される通信経路に異常が生じていることを示す場合には、アクセスネットワーク２4、ＰＳＴＮ７又はＡＡＴ８に障害が生じていると判定することができる。その判定結果が異常箇所判定レジスタに書き込まれるのである。
【００４５】
ネットワーク監視制御装置１０は、上記ステップＳ２０を終了してから所定期間経過後に、再び上記ステップＳ１１〜Ｓ２０の動作を繰り返し実行することにより、断続的にネットワークの監視を行う。
【００４６】
以上の如く、ネットワーク監視制御装置１０は、各アクセスネットワーク２に設けられているゲートウェイ（ＡＧＷ４、ＰＴＧＷ６）各々の内から、導通試験対象となるゲートウェイ各々の組合せを図６、図８及び図９の如く変更しつつ各組合せ毎に導通試験を実行させる。そして、各導通試験毎に得られた第１〜第３導通試験結果信号に基づいて重複する異常箇所を検出することにより障害発生箇所を特定するのである。
【００４７】
尚、上記実施例においてはネットワーク監視要求信号によって指定される導通試験として、図７に示すＤＴＭＦ送受信試験、又は図１０に示すＤＴＭＦ受信試験について説明したが、この導通試験としてループバック試験を実施するようにしても良い。この際、ＡＧＷ４（又はＧＷ５）の導通試験装置（試験用収容回路ＴＧ及び疑似試験回路ＴＰ）には、ネットワーク監視制御装置１０からの指令に応じてループバック回路が作動する機能を搭載する。かかるループバック試験を実行するにあたり、ネットワーク監視制御装置１０は、導通試験としてループバック試験を指定する情報を含むネットワーク監視要求信号を導通試験の対象となるマスタ側及びスレーブ側各々のＡＧＷ４（又はＧＷ５）に送出する。
【００４８】
かかるネットワーク監視要求信号に応じて、例えばマスタ側のＡＧＷ４1及びスレーブ側のＡＧＷ４2又はＡＧＷ４3に搭載されている導通試験装置は、図１１に示される通信フローに従って導通試験を実施する。
【００４９】
図１１において、先ず、ネットワーク監視制御装置１０から供給されたネットワーク監視要求信号に応じて、スレーブ側のＡＧＷ４2又はＡＧＷ４3の試験用収容回路ＴＧ及び疑似試験回路ＴＰ（以下、導通試験装置と称する）は、マスタ側のＡＧＷ４1からの呼制御信号の受信待ち状態に設定される（ステップＳ２９３）。又、かかるネットワーク監視要求信号に応じて、マスター側のＡＧＷ４1の試験用収容回路ＴＧ及び疑似試験回路ＴＰ（以下、導通試験装置と称する）は、図６の太破線にて示されるが如き経路を介して呼制御信号をＡＧＷ４2に送信する（ステップＳ２９４）。この際、かかる呼制御信号に基づき、ＣＡ３1は、図６の太実線にて示されるが如き経路にてＡＧＷ４1及びＡＧＷ４2間の通信を確立させる。
【００５０】
尚、上記ステップＳ２９４の実行後、ＡＧＷ４1の導通試験装置は、内蔵タイマ（図示せぬ）による時間計時を０から開始させ（ステップＳ２９５）、この内蔵タイマによる計時時間ＴＡが所定時間Ｔ1よりも大であるか否かの判定を行う（ステップＳ２９６）。かかるステップＳ２９６において上記計時時間ＴＡが所定時間Ｔ1よりも大ではない、つまり、ステップＳ２９５を実行してから所定時間Ｔ1を経過していないと判定された場合、ＡＧＷ４1の導通試験装置は、ＡＧＷ４2側から送信された呼制御信号を受信したか否かの判定を行う（ステップＳ２９７）。かかるステップＳ２９７において、受信していないと判定された場合、ＡＧＷ４1の導通試験装置は、ステップＳ２９６の実行に戻って前述した如き動作を繰り返し実行する。
【００５１】
この間、スレーブ側のＡＧＷ４2の導通試験装置は、ＡＧＷ４1から送信された呼制御信号を受信した場合にはこれをそのまま図６の太破線にて示されるが如き経路を介してＡＧＷ４1に返信する（ステップＳ２９８）。かかるステップＳ２９８の実行後、ＡＧＷ４2の導通試験装置はループバック回路を作動させる（ステップＳ２９９）。
【００５２】
一方、マスタ側ＡＧＷ４1の導通試験装置は、上記ステップＳ２９６において上記計時時間ＴＡが所定時間Ｔ1よりも大である、つまりＡＧＷ４1の導通試験装置が呼制御信号をＡＧＷ４2に送信してから所定時間Ｔ1経過後においてもＡＧＷ４2側からの返信が為されない場合には以下の如きステップＳ３００を実行する。すなわち、この際、ＡＧＷ４1の導通試験装置は、図６の太破線にて示す如き経路からなる呼制御回線に導通異常が生じていると判断して、その旨をネットワーク監視制御装置１０に報告する（ステップＳ３００）。又、上記ステップＳ２９７において、スレーブ側のＡＧＷ４2からの呼制御信号を受信したと判定された場合、ＡＧＷ４1の導通試験装置は、上り試験信号として所定の第１パターンを有するＤＴＭＦ信号をスレーブ側のＡＧＷ４2に送信する（ステップＳ３０１）。次に、ＡＧＷ４1の導通試験装置は、内蔵タイマ（図示せぬ）による時間計時を０から開始させ（ステップＳ３０２）、この内蔵タイマによる計時時間ＴＡが所定時間ＴPRよりも大であるか否かの判定を行う（ステップＳ３０３）。かかるステップＳ３０３において上記計時時間ＴＡが所定時間ＴPRよりも大ではない、つまり、ステップＳ３０２を実行してから所定時間ＴPRを経過していないと判定された場合、ＡＧＷ４1の導通試験装置は、スレーブ側のＡＧＷ４2からループバックされたＤＴＭＦ信号を受信したか否かの判定を行う（ステップＳ３０４）。かかるステップＳ３０４において、受信していないと判定された場合、ＡＧＷ４1の導通試験装置は、上記ステップＳ３０３の実行に戻って前述した如き動作を繰り返し実行する。
【００５３】
この間、スレーブ側のＡＧＷ４2の導通試験装置は、マスタ側のＡＧＷ４1から送出されたＤＴＭＦ信号を受信した場合には、これを上記ループバック回路を介してそのまま下り試験信号としてＡＧＷ４1に送信する。
【００５４】
上記ステップＳ３０４において、ＡＧＷ４2側からループバックされたＤＴＭＦ信号を受信したと判定された場合、ＡＧＷ４1の導通試験装置は、このＤＴＭＦ信号が上記所定の第１パターンを有するか否かを判定する（ステップＳ３０８）。ステップＳ３０８において、受信したＤＴＭＦ信号が所定の第１パターンパターンを有すると判定された場合、ＡＧＷ４1の導通試験装置は、ＡＧＷ４1及びＡＧＷ４2間の通信経路に導通異常が生じていないことを示す導通試験結果信号をネットワーク監視制御装置１０に送信する（ステップＳ３０９）。つまり、所定時間ＴPR内において、マスタ側のＡＧＷ４1から送信された所定パターンを有するＤＴＭＦ信号がそのままスレーブ側のＡＧＷ４2からループバックされてきた場合には、かかる通信経路には導通異常が生じていないと判断して、その旨をネットワーク監視制御装置１０に報告するのである。
【００５５】
一方、ステップＳ３０８において、ループバックされたＤＴＭＦ信号が所定の第１パターンとは異なるパターンを有すると判定された場合、又は上記ステップＳ３０３において内蔵タイマによる計時時間ＴＡが所定時間ＴPRよりも大であると判定された場合、ＡＧＷ４1の導通試験装置は、ＡＧＷ４1及びＡＧＷ４2間の通信経路に導通異常が生じていることを示す導通試験結果信号をネットワーク監視制御装置１０に送信する（ステップＳ３１０）。つまり、マスター側が所定の第１パターンを有する試験用のＤＴＭＦ信号を送信してから所定時間ＴPR経過してもスレーブ側からのループバックが無い場合、あるいはスレーブ側からループバックされたＤＴＭＦ信号が所定の第１パターンと一致しない場合には、両者間の通信経路中に導通異常が生じていると判断して、その旨をネットワーク監視制御装置１０に報告するのである。
【００５６】
尚、上記ＤＴＭＦ送受信試験、ＤＴＭＦ受信試験、又はループバック試験の如き導通試験を実施するにあたり、ＡＧＷ４は局舎に設置されている為、不慮の電源遮断を心配する必要はない。ところが、加入者宅内に設置されているＧＷ５は、ユーザの都合により電源遮断が行われる可能性があるので、この際、導通試験を実施することができないという問題が生じる。そこで、加入者宅内に設置されているＧＷ５を導通試験対象とする場合には、ネットワーク監視制御装置１０において、各加入者宅内に設置されているＧＷ５毎に、現時点までに為された電源遮断の頻度を測定し、この電源遮断頻度が所定頻度よりも小なるＧＷ５のみを対象として導通試験を実施する。この際、電源遮断の頻度に応じて、各加入者宅内に設置されているＧＷ５各々に試験対象の候補となる順位を割り当てておく。そして、導通試験実施時において、試験対象となったＧＷ５の電源が遮断された場合には、ネットワーク監視制御装置１０は、この試験対象となったＧＷ５の次の順位が割り当てられているＧＷ５を試験対象とすべき変更を行うのである。
【００５７】
＜第２の実施例＞
図１２は、第２の実施例を示し、ネットワーク監視システムの全体構成を示している。本実施例において、任意の電話回線から通話中の音声をモニタする通話モニタ動作について説明する。図１２において、アクセスネットワーク２には、第１の実施例の如きＡＧＷ４、ＧＷ５、及びＣＡ３の他に、通話音声を聞き取る為のモニタ電話機５０Mが接続されている通話モニタ用のＧＷ５Mが接続されている。
【００５８】
以下に、ＡＧＷ４に接続されている加入者電話機４１ａ及びと電話機５０ａ間の通話中音声をモニタする場合を一例にとって、その動作を図１３を参照しつつ説明する。
【００５９】
先ず、ネットワーク監視制御装置１０は、通話モニタの対象となる加入者電話機４１ａが接続されているＡＧＷ４に対して、この加入者電話機の電話番号を示すモニタ要求信号を基幹ネットワーク１及びアクセスネットワーク２を介して送信する（ステップＳ１２０）。
【００６０】
かかるモニタ要求信号を受信すると、ＡＧＷ４の通話モニタ回路ＴＭは、図２に示されるが如き一般加入者用収容回路Ｇ１1〜Ｇ１nの内から、上記モニタ要求信号にて示された電話番号に対応した一般加入者用収容回路Ｇ１を選択し、この一般加入者用収容回路Ｇ１に対して加入者線引き込み要求を行う（ステップＳ１２１）。かかる加入者線引き込み要求に応じて、加入者電話機４１ａが接続されている一般加入者用収容回路Ｇ１は、その加入者線４０上の音声信号を引き込みこれを通話モニタ回路ＴＭに供給する。尚、この際、一般加入者用収容回路Ｇ１は、モニタ電話機５０Mからの音声信号が加入者線４０上に流れ込まないように上記引き込みを行う。次に、通話モニタ回路ＴＭは、モニタ電話機５０Mの電話番号に基づく呼出を行わせるべき指令を疑似試験回路ＴＰに供給する（ステップＳ１２２）。これにより、疑似試験回路ＴＰは、かかる電話番号に対応したモニタ電話機５０Mを呼び出すべき呼制御信号をＣＡ３を介してＧＷ５Mに送信する。この際、ＧＷ５Mは、かかる呼制御信号の着信に応じて応答信号をＡＧＷ４に供給する（ステップＳ１２３）。かかる応答信号の受信に応じて、ＡＧＷ４の通話モニタ回路ＴＭは、上記ステップＳ１２１の実行によって引き込まれた加入者線４０上の音声信号をＧＷ５Mに送信すべく試験用収容回路ＴＧを制御する（ステップＳ１２４）。これにより、試験用収容回路ＴＧは、かかる音声信号をＶｏＩＰパケット化したものをＧＷ５Mに送信する。よって、かかるＧＷ５Mに接続されているモニタ電話機５０Mにより、図１２に示す如き電話機４１ａ及び５０ａ間での通話途中からその通話内容をモニタすることが可能となる。
【００６１】
又、図１３に示される変形例では電話機同士による通話中に通話モニタを開始するようにしているが、図１２に示される構成において、通話が開始される前から予め通話モニタの対象となる電話機を指定しておき、この電話機による通話内容を通話開始前からモニタできるようにしても良い。
【００６２】
例えば、図１２のＡＧＷ４に接続されている加入者電話機４１ａを通話モニタの対象とし、この加入者電話機４１ａによる通話内容をモニタ電話機５０Mにてモニタする場合を一例にとって、その動作を図１４を参照しつつ説明する。
【００６３】
先ず、ネットワーク監視制御装置１０は、加入者電話機４１ａによる通話が開始される前に、この加入者電話機の電話番号を示すモニタ要求信号を、基幹ネットワーク１及びアクセスネットワーク２を介して、加入者電話機４１ａが接続されているＡＧＷ４に送信する（ステップＳ１３０）。かかるモニタ要求信号を受信すると、ＡＧＷ４の通話モニタ回路ＴＭは、図２に示されるが如き一般加入者用収容回路Ｇ１1〜Ｇ１nの内から、上記モニタ要求信号にて示された電話番号に対応した一般加入者用収容回路Ｇ１を選択し、この一般加入者用収容回路Ｇ１に対して加入者線引き込み要求を行う（ステップＳ１３１）。かかる加入者線引き込み要求に応じて、加入者電話機４１ａが接続されている一般加入者用収容回路Ｇ１は、その加入者線４０上の音声信号を引き込みこれを通話モニタ回路ＴＭに供給する。尚、ステップＳ１３１の実行直後においては、加入者電話機４１ａによる通話が為されていないので、無音に対応した音声信号が通話モニタ回路ＴＭに供給される。  次に、通話モニタ回路ＴＭは、モニタ電話機５０Mの電話番号に基づく呼出を行わせるべき指令を疑似試験回路ＴＰに供給する（ステップＳ１３２）。これにより、疑似試験回路ＴＰは、かかる電話番号に対応したモニタ電話機５０Mを呼び出すべき呼制御信号をＣＡ３を介してＧＷ５Mに送信する。この際、ＧＷ５Mは、かかる呼制御信号の着信に応じて応答信号をＡＧＷ４に供給する（ステップＳ１３３）。かかる応答信号の受信に応じて、ＡＧＷ４の通話モニタ回路ＴＭは、上記ステップＳ１３１の実行によって引き込まれた加入者線４０上の音声信号をＧＷ５Mに送信すべく試験用収容回路ＴＧを制御する（ステップＳ１３４）。これにより、試験用収容回路ＴＧは、かかる音声信号をＶｏＩＰパケット化したものをＧＷ５Mに送信する。よって、ＧＷ５Mに接続されているモニタ電話機５０Mにより、加入者電話機４１ａによる通話が開始された時点からその通話内容を聞き取ることが可能となる。
【００６４】
尚、図１２に示される実施例では、モニタ電話機５０MとしてはＶｏＩＰゲートウェイに接続されているいわゆるＩＰ電話機を採用しているが、ＰＳＴＮ７の如き公衆回線網に接続されている電話機であっても良い。すなわち、この際、試験用収容回路ＴＧは、ＰＳＴＮ網及びＶｏＩＰ網のいずれに対しても発着信可能なものであれば良い。
【００６５】
＜第３の実施例＞
図１５は、第３の実施例を示し、本発明によるネットワーク監視システムの全体の構成を示している。ここで、基幹ネットワーク１は、ＶｏＩＰ技術を用いて音声通信を可能とするＩＰネットワークであり、例えば全国にまたがって１つ設けられることで基幹となるネットワークである。基幹ネットワーク１には、ルータＲを介して複数のアクセスネットワーク２１〜２ｎ（ｎは正数）が各々接続されている。アクセスネットワーク２１〜２ｎは、例えば各県単位に配置される。図示されるように、複数のアクセスネットワーク２１〜２ｎのうち、例として２つのアクセスネットワーク２５及び２６にはルータＲを介して２つのＭＧＣ８１及び８２が各々接続されている。例として４つのアクセスネットワーク２１、２２、２３及び２ｎにはルータを介して４つのＭＧＷ６１、６２、６３及び６ｎが各々接続されている。４つのＭＧＷ６１、６２、６３及び６ｎには、公衆加入者電話網であるＰＳＴＮ（Public Switched Telephone Network）７が接続されている。
【００６６】
ＭＧＷ６１〜６ｎの各々は、本発明の構成要素であるゲートウェイであり、ＳＴＭ（Synchronous Transfer Mode：同期転送モード）伝送方式とＩＰパケット伝送方式との間で音声信号を相互変換する機能を備えると共に、ＤＴＭＦ信号送受信機能やループバック機能を備え、ＭＧＣ８１及び８２のうちの何れかの制御の下に動作する。
【００６７】
ＭＧＣ８１及び８２の各々は、公衆加入者電話網におけるクラス４交換機に相当するメディア・ゲートウェイ・コントローラであり、ＭＧＷ６１〜６ｎの何れかを制御信号により制御して、基幹ネットワーク１及びアクセスネットワーク２１〜２ｎからなるＩＰネットワークとＰＳＴＮ７との間で呼接続を実現する。
【００６８】
ネットワーク監視制御装置１０は、本発明の構成要素であるネットワーク監視制御手段を実現する装置であり、ＭＧＷ６１〜６ｎの何れかを導通試験対象とするネットワーク監視要求信号をＭＧＣ８１または８２に供給すると共に、ＭＧＷ６１〜６ｎから供給される導通試験結果信号に基づいて異常箇所の判定及び表示を行う機能を備える。ネットワーク監視要求信号には、ネットワークの正常性を確認する為に実施すべき導通試験の方法、導通試験対象とすべき発側及び着側を指定する識別番号、並びに導通試験を実施する時間間隔を指定する情報が含まれる。導通試験の方法としては、第１の実施例と同様に、ＤＴＭＦ（Dual Tone Multi Frequency）送受信試験やループバック試験がある。ネットワーク監視制御装置１０は、図示されるように基幹ネットワーク１に接続されても良いし、ＭＧＣ８１及び８２に別異のネットワークを介して直接接続されても良い。
【００６９】
図１６は、図１５に示されたネットワーク監視制御装置及びＭＧＣの内部構成を示している。ここで、ネットワーク監視制御装置１０は、オペレータから登録されるべき試験データを受け付けし登録する試験データ受付部１１と、登録された試験データを管理する試験データ管理部１２と、登録された試験データに基づいてネットワーク監視要求信号を生成し、これをＭＧＣ８１及び８２に供給することにより試験を実行するネットワーク監視試験実行制御部１３と、ＭＧＷ６１〜６ｎから供給される導通試験結果信号を基に試験結果を判定する試験結果判定部１４とから構成されている。
【００７０】
ＭＧＣ８１及び８２の各々は、ネットワーク監視制御装置１０からネットワーク監視要求信号を受け付ける制御信号受付部８０１と、受け付けたネットワーク監視要求信号をＭｅｇａｃｏやＭＧＣＰ等のプロトコルに従った通常の制御信号に変換する制御信号変換部８０２と、通常の呼接続に関する制御信号と共に導通試験に関する制御信号をＭＧＷ６１〜６ｎに供給してこれらを制御するＭＧＷ制御部８０３とから構成されている。
【００７１】
図１７は、図１６に示された登録データ管理部に登録される試験データの構成例を示している。試験データの登録はオペレータ操作よりネットワーク監視制御装置１０に対して行われる。試験データには、発側ＭＧＷ情報毎に導通試験方法と試験間隔と複数の着側ＭＧＷ情報＃１〜＃ｎとが設定される。発側ＭＧＷ情報は、発側ＭＧＷ自身のアドレス情報とチャネル番号やポート番号等のエンドポイント（ＥＰ）情報とを含む。導通試験方法は、例えば、ＤＴＭＦ信号を用いたＤＴＭＦ信号送受信試験やループバック試験の区別が設定される。試験間隔は、例えば、１分の如く発側ＭＧＷがＤＴＭＦ信号を送信して導通試験を行う間隔が設定される。着側ＭＧＷ情報＃１〜＃ｎの各々には、着側ＭＧＷ自身のアドレス情報とエンドポイント（ＥＰ）情報とが設定される。
【００７２】
発側及び着側のＭＧＷの組合せは複数登録可能であり、発側ＭＧＷ毎に複数の着側ＭＧＷを指定して登録することも可能である。以上の登録により少なくとも１つのＭＧＣに向けてネットワーク監視要求信号を送信することより、当該ＭＧＣの制御下にある全てのＭＧＷを発側または着側とする試験を網羅的に実施することができる。
【００７３】
図１８は、試験方法を実施する処理手順を示している。前提として発側ＭＧＷをＭＧＷ６１とし着側ＭＧＷをＭＧＷ６２とする。ＭＧＷ６１及びＭＧＷ６２はＭＧＣ８１の制御下にあるものとする。
【００７４】
先ず、ネットワーク制御監視装置１０は、オペレータの監視要求操作により、登録された試験データに基づくネットワーク監視要求信号を生成する（ステップＳ３１）。ここで、試験データがＭＧＣ８１の制御下にある発側ＭＧＷ６１及び着側ＭＧＷ６２を試験対象としているとする。そこで、生成されたネットワーク監視要求信号はＭＧＣ８１に送信される。
【００７５】
ＭＧＣ８１は、該ネットワーク監視要求信号を受信し、これに基づいて試験実施のための制御信号をＭｅｇａｃｏやＭＧＣＰ等の通常のプロトコルに従って生成する（ステップＳ３２）。生成された制御信号は発側ＭＧＷ６１及び着側ＭＧＷ６２に送信される。
【００７６】
これらの制御信号に応じて、発側ＭＧＷ６１は、着側ＭＧＷ６２に対して予め決められたＤＴＭＦ信号を送信する（ステップＳ３３）。ＭＧＣ８１から制御信号を既に受信している着側ＭＧＷ６２は、該制御信号に従って、送信されたＤＴＭＦ信号を受信しこれが予め決められた内容のＤＴＭＦ信号であるか否かを判定する（ステップＳ３４）。もし予め決められた内容のＤＴＭＦ信号であれば、発側ＭＧＷ６１に対して同様に予め決められたＤＴＭＦ信号を送信する（ステップＳ３５）。この場合、ＤＴＭＦ信号は発側ＭＧＷ６１が送信する内容と着側ＭＧＷ６１が送信する内容とが異なる信号でも良いし、ループバック試験を実施する場合には着側ＭＧＷ６２は受信したＤＴＭＦ信号をそのまま発側ＭＧＷ６１へ送信する。一方、ステップＳ３４の判定において受信したＤＴＭＦ信号が予め決められた内容のＤＴＭＦ信号でないならば着側ＭＧＷ６２は特に処理を行わない。
【００７７】
一方、発側ＭＧＷ６１では、ステップＳ３３におけるＤＴＭＦ信号の送信後、折り返し着側ＭＧＷ６２からＤＴＭＦ信号が送られてくることを期待して決められた時間内は待ち状態にある。発側ＭＧＷ６１は、所定時間内に予め決められた内容のＤＴＭＦ信号を受信することができるか否かを判定する（ステップＳ３６）。もし所定時間内に予め決められた内容のＤＴＭＦ信号を受信することができた場合には、発側ＭＧＷ６１は導通試験正常と判定し、ネットワーク監視制御装置１０に向けて正常通知を行う（ステップＳ３７）。逆に、決められた時間内に予め決められた内容のＤＴＭＦ信号を受信することができない場合には、発側ＭＧＷ６１は導通試験異常と判定し、ネットワーク監視制御装置１０に向けて異常通知を行う（ステップＳ３８）。ネットワーク監視制御装置１０に向けて送信される正常通知または異常通知は、ＭＧＣ８１を介して転送されても良いし（ステップＳ３９参照）、ネットワーク監視制御装置１０に直接送信されても良い。
【００７８】
一方、ネットワーク監視制御装置１０は、発側ＭＧＷ６１から正常通知または異常通知を導通試験結果信号として受信し、かかる信号に基づいてネットワーク監視を行う（ステップＳ４０）。また、ネットワーク監視制御装置１０は、発側及び着側のＭＧＷからなる組合せについて導通試験を網羅的に行うことで、障害の被疑箇所を特定する処理を行うこともできる（後述する図２１参照）。
【００７９】
以上の処理手順を実行することより、発側ＭＧＷ６１から着側ＭＧＷ６２への上り方向の導通状態の確認と、着側ＭＧＷ６２から発側ＭＧＷ６１への下り方向の導通状態の確認を行うことができる。
【００８０】
図１９〜図２１は試験の実施状況や実施結果を説明している。
【００８１】
図１９を参照すると、ＭＧＣ８１で共に管理されているＭＧＷ６１とＭＧＷ６２との間で上記した試験を実施した場合の制御信号経路及び音声信号経路が示されている。ネットワーク監視制御装置１０がＭＧＣ８１に供給したネットワーク監視要求信号に基づいて、ＭＧＣ８１−アクセスネットワーク２５−基幹ネットワーク１−アクセスネット２１−ＭＧＷ６１の制御信号経路と、ＭＧＣ８ｌ−アクセスネットワーク２５−基幹ネットワーク１−アクセスネットワーク２２−ＭＧＷ６２の制御信号経路と、ＭＧＷ６１−アクセスネットワーク２１−基幹ネットワーク１−アクセスネットワーク２６−ＭＧＷ６２の音声信号経路とからなる各経路の正常性が確認される。
【００８２】
図２０を参照すると、ＭＧＣ８１で管理されているＭＧＷ６２からＭＧＣ８２で管理されているＭＧＷ６３への試験を実施した場合の制御信号経路及び音声信号経路が示されている。ネットワーク監視制御装置１０がＭＧＣ８１及び８２に供給したネットワーク監視要求信号に基づいて、ＭＧＣ８ｌ−アクセスネットワーク２５−基幹ネットワーク１−アクセスネットワーク２２−ＭＧＷ６２の制御信号経路と、ＭＧＣ８２−アクセスネットワーク２６−基幹ネットワーク１−アクセスネットワーク２３−ＭＧＷ６３の制御信号経路と、ＭＧＷ６２−アクセスネットワーク２２−基幹ネットワーク１−アクセスネットワーク２３−ＭＧＷ６３の音声信号経路とからなる各経路の正常性が確認される。
【００８３】
図２１を参照すると、障害発生と疑われる被疑箇所を特定する例が説明されている。ここで、ＭＧＷ６ｌ−ＭＧＷ６３の経路の正常性が確認されれば、アクセスネットワーク２１−基幹ネットワーク１−アクセスネットワーク２３の経路の正常性が確認できる。そのときにＭＧＷ６ｌ−ＭＧＷ６２の経路の異常が確認されれば、被疑箇所の範囲は、アクセスネットワーク２２またはＭＧＷ６２ではないかと疑われる。そこで、さらにＭＧＷ６３−ＭＧＷ６２の経路についても同様に異常であると確認されれば、アクセスネットワーク２２またはＭＧＷ６２が被疑箇所であるとして障害箇所特定の精度を上げることが可能となる。ネットワーク監視制御装置１０は、各経路の正常／異常に関する情報を一元管理することによって障害箇所の特定を容易に行うことができる。
【００８４】
以上の第３の実施例において、ＭＧＷに制御信号を供給してアクセスネットワークと基幹ネットワークとの相互接続の動作を制御する少なくとも１つのＭＧＣが設けられている。ネットワーク監視制御装置は、ネットワーク監視要求信号をＭＧＣに送信する。ＭＧＣは、送信されたネットワーク監視要求信号の試験対象のＭＧＷ同士にて導通試験を実行させるべき制御信号を生成し、これを試験対象のＭＧＷに送信する。ＭＧＷの各々は、ネットワーク監視要求信号に代えて、導通試験を実行させるべき制御信号に応じて導通試験対象の相手先となるＭＧＷとの導通試験を行う。
【００８５】
これにより、ＰＳＴＮ網との相互接続をなすＭＧＷについて、これを制御するＭＧＣを介して第１の実施例におけると同様に導通試験を行うことができる。ＭＧＷは通常のＤＴＭＦ信号送受信機能やループバック機能を備えれば足り、特に、ネットワーク監視制御装置とのインタフェース機能を備える必要がない。一方で、ＭＧＣは、ネットワーク監視制御装置とのインタフェース機能を必要とするものの、ＭＧＷとの間の制御信号の送受信はＭｅｇａｃｏやＭＧＣＰ等の通常のプロトコルを用いて行うことができる。ネットワーク監視制御装置は、これらＭＧＣに対してネットワーク監視要求信号を供給すると共に試験結果信号を各ＭＧＷから受信することで一元的な常時ネットワーク監視を行うことができる。
【図面の簡単な説明】
【００８６】
【図１】第１の実施例を示し、本発明によるネットワーク監視システムの全体構成を示すブロック図である。
【図２】ＡＧＷ４の内部構成を示す図である。
【図３】ＧＷ５の内部構成を示す図である。
【図４】ネットワーク監視動作を説明する為の通信ネットワークの構成を示す図である。
【図５】ネットワーク監視制御装置１０によって為されるネットワーク監視制御フローを示す図である。
【図６】導通試験対象となるゲートウェイ同士の第１の組合せによる通信経路を示す図である。
【図７】導通試験としてＤＴＭＦ送受信試験を実施する際の通信フローを示す図である。
【図８】導通試験対象となるゲートウェイ同士の第２の組合せによる通信経路を示す図である。
【図９】導通試験対象となるゲートウェイ同士の第３の組合せによる通信経路を示す図である。
【図１０】導通試験としてＤＴＭＦ受信試験を実施する際の通信フローを示す図である。
【図１１】導通試験としてループバック試験を実施する際の通信フローを示す図である。
【図１２】第２の実施例を示し、本発明によるネットワーク監視システムの全体構成を示すブロック図である。
【図１３】通話モニタ動作を示す図である。
【図１４】通話モニタ動作の他の例を示す図である。
【図１５】第３の実施例を示し、本発明によるネットワーク監視システムの全体構成を示すブロック図である。
【図１６】図１５に示したネットワーク監視制御装置及びＭＧＣの内部構成を示すブロック図である。
【図１７】図１６に示した試験データの構成例を示す図である。
【図１８】ＤＴＭＦ信号送受信試験を実施する処理手順を示すシーケンス図である。
【図１９】１つのＭＧＣを介した制御信号経路と音声信号経路とを示すブロック図である。
【図２０】２つのＭＧＣを介した制御信号経路と音声信号経路とを示すブロック図である。
【図２１】被疑箇所を特定する様子を説明するブロック図である。
【符号の簡単な説明】
【００８７】
１  基幹ネットワーク
２  アクセスネットワーク
３  ＣＡ
４  ＡＧＷ
５  ＧＷ
６  ＰＴＧＷ
７  ＰＳＴＮ
８  ＡＡＴ
ＴＧ  試験用収容回路
ＴＰ  疑似試験回路
ＴＭ  通話モニタ回路
【図１】
2008005480.tif 000003
【図２】
2008005480.tif 000004
【図３】
2008005480.tif 000005
【図４】
2008005480.tif 000006
【図５】
2008005480.tif 000007
【図６】
2008005480.tif 000008
【図７】
2008005480.tif 000009
【図８】
2008005480.tif 000010
【図９】
2008005480.tif 000011
【図１０】
2008005480.tif 000012
【図１１】
2008005480.tif 000013
【図１２】
2008005480.tif 000014
【図１３】
2008005480.tif 000015
【図１４】
2008005480.tif 000016
【図１５】
2008005480.tif 000017
【図１６】
2008005480.tif 000018
【図１７】
2008005480.tif 000019
【図１８】
2008005480.tif 000020
【図１９】
2008005480.tif 000021
【図２０】
2008005480.tif 000022
【図２１】
2008005480.tif 000023